(57)【要約】【課題】釣竿ケースを必要以上に長く設計する必要がなく、複数のリールを効率よく収納及び保管してケースを有効に使用でき、しかもリールだけでも持ち運ぶこともでき、また用途の異なるリールなどのリールを簡単に持ち運ぶことのできるリールホルダおよびリールの運搬方法とすることである。【解決手段】釣竿状支持体２の長手方向に沿って、釣糸のリール１２の固定具３を所定間隔に複数配置して設けることにより、複数のリール１２を取り付けて非接触状態で保持可能なリールホルダ１であり、そして釣糸のリール１２の固定具３は、リールの底部に設けられたの爪部４を、釣竿状支持体２に設けた爪受６に係止し、かつ後方の爪部５をバックル７で抜止する機構の固定具３を採用できる。リールホルダ１のみ、またはリールホルダ１を釣竿ケースに入れてリール１２のみ、またはリール１２と釣竿の両方をそれぞれ必要な数だけ簡便に運搬することができる。【選択図】図１
2006187235.tif 000002
【特許請求の範囲】
【請求項１】
釣竿状支持体の長手方向に沿って、釣糸のリールの固定具を所定間隔に複数配置して設けることにより複数のリールを取り付けて保持可能なリールホルダ。
【請求項２】
釣糸のリールの固定具が、リールの底部に設けられた爪部を、前記釣竿状支持体に設けられた爪受に係止し、かつ係止された爪部をバックルで抜止する機構の固定具である請求項１に記載のリールホルダ。
【請求項３】
請求項１または２に記載のリールホルダに、１以上のリールを取り付けた後、ケース内に収容し運搬するリールの運搬方法。
【発明の詳細な説明】
【技術分野】
【０００１】
この発明は、つり用リールを釣竿ケース内などに収納する際、特に複数のつり用リールを効率よく収納するリールホルダまたはこのようなリールホルダを用いたリールの運搬方法に関する。
【背景技術】
【０００２】
一般に、振り出し竿と通称される釣竿は、複数本に分割された釣竿の大径管内に順に小径管を収容したものとして周知であり、この釣竿にスピニングリールなどのリールを取り付け、そのまま釣竿を縮めて収納する釣竿ケースも周知である。このような釣竿ケースの中には１以上、通常は２〜３本またはそれ以上のリール付きの釣竿をまとめて収容し、そのまま釣り場などへ持ち運びできるものが多い。
【０００３】
すなわち、図５に示すような通常の釣竿ケース１０は、振り出し竿とも称される釣竿１１を大径管内に縮めた状態で複数本収納することが可能であるが、釣竿１１に付属するリール１２は、釣り糸を送り出し、巻き取り、釣竿に固定される機能を有するものであるから、ハンドル１３、スプール１４、竿取付用脚部１５などのように曲折された棒状の部品、回転可能なドラム状の部品、その他線状の部品など多くの複雑な形状の部品を組み合わせて構成されている。そのため、リール１２は釣竿から突出して嵩張ると共に複数のリール１２を密接させると構成部品同士がからまりやすいものである。
【０００４】
リール１２は、釣竿の竿尻１１ａからグリップ（把持部）１６を残して略一定の距離の部分に取り付けるものが多く、複数の釣竿１１に取り付けられた２以上のリール１２が一つの釣竿ケース１０内で同じ位置に配置されると、釣竿ケース内でリール１２同士が集合した状態になり、釣竿ケース１０の下部の一部分のみに嵩張る部分ができる。通常の釣竿ケース１０には、リール１２を収納するための膨出部分が形成されているものが多いが、複数のリール１２がランダムに収納されるとその部分に収納の余裕がなくなり、さらには釣竿ケ―ス１０の一部分だけが異常に膨らんで持ち運び難く、見栄えも悪くなる。
【０００５】
このように釣竿ケ―ス内でリールが集合して部分的に嵩張るという問題や、それに伴って接触した複数のハンドルが絡まるなどという問題をできるだけ防止するために、複数の釣竿のケース内に保持されるリールの位置を順に長手方向にずらし、リール同士が接触しないように保持する釣竿ケースが知られている（特許文献１）。
【０００６】
しかし、このような釣竿ケースは、収容する釣竿の長さの多様性を考慮して余裕を持たせて設計されているが、釣竿を複数本収容する際に、各竿の収納位置を長手方向に異ならせてリール同士が重ならないようにするため、複数の竿の集合物の全長がかなり長くなり、釣竿ケースをそれだけ長く設計しなければならい。これでは釣竿ケースが必要以上に大きくなって持ち難くなり、収納効率も悪くなる。
【０００７】
ところで、釣竿をケースにできるだけ小容積で嵩張らずに収容するために用いられる器具として、図５に示すアダプタ１７が知られている。
アダプタ１７は、リール１２を取り付けた釣竿１１の竿尻１１ａに嵌めるキャップまたは筒形の部品であり、これを取り付けた釣竿のリール取り付け部の位置は、取り付けなかった釣竿より高くなるから、複数のリール付き釣竿１１のリール１２が釣竿ケース１０内で重なり合わずに嵩張らないように収納できるものである（特許文献２）。
【０００８】
【特許文献１】特開２０００−４７４５号公報
【特許文献２】特開２００３−２０４７４７号公報
【発明の開示】
【発明が解決しようとする課題】
【０００９】
しかし、上記したアダプタを、振り出し可能な釣竿の竿尻につけた状態で竿は長くなり、竿数が増えれば増えるほど長いアダプタが必要になり、また複数の竿の全長も長くなり、それだけ長い釣竿ケースを必要とするという問題がある。
【００１０】
また、これらの方法では竿に取り付けていないリールを、または竿数より多くの用途の異なるリールや交換用のリールを持ち運びすることはできず、これでは１本の釣竿に複数の太さ等の道糸や仕掛けを準備して状況に合わせて釣を行なう場合などにおいて簡便に釣竿とリールを携帯できないという問題点がある。
【００１１】
そこで、この発明の課題は、上記した問題点を解決して、釣竿ケースを必要以上に長く設計する必要がなく、すなわち釣竿ケースの一部の膨出形状をできるだけ抑えて竿の長さ方向にもコンパクトにし、複数のリールを効率よく収納および保管してケースを有効に使用でき、しかもリールだけでも持ち運ぶこともでき、また用途の異なるリールなどのリールを簡単に持ち運べるリールホルダおよびリールの運搬方法とすることである。
【課題を解決するための手段】
【００１２】
上記の課題を解決するために、この発明では、釣竿状支持体の長手方向に沿って、釣糸のリールの固定具を所定間隔に複数配置して設けることにより複数のリールを取り付けて保持可能なリールホルダとしたのである。
【００１３】
上記したように構成されるこの発明のリールホルダは、釣糸のリールの固定具を釣竿状支持体の長手方向に沿って、所定間隔に複数配置して設けたので、釣竿から取り外したリールを釣竿状支持体に沿って直列状に並べて適当な間隔を開け、好ましくは非接触状態で複数個を保持することができる。
【００１４】
これにより、リールを釣竿状支持体の長手方向に沿って好ましくは非接触状態に並べることができ、全体形状を比較的細く形成した釣竿ケースを用いた場合でもリールを釣竿から外して嵩張らせずに所定容積のケースを有効に利用して収納および保管でき、従来は釣竿ケース内で各竿毎にリールの収納位置をずらせるなどの手間をかけていた煩雑さがなくなる。
【００１５】
また、釣竿をできるだけ短くなるように分割した長さか、または振り出し竿を縮めた程度の長さ程度の釣竿ケースを使用すれば、複数本の釣竿を揃えて効率よく収納および保管することができ、さらに用途の異なる複数のリールをコンパクトに収納して持ち運ぶこともできる。
【００１６】
また、上記のリールホルダの釣竿への取り付けの簡便性を考慮すると、釣糸のリールの固定具が、リールの底部に設けられた爪部を、前記釣竿状支持体に設けられた爪受に係止し、かつ係止された爪部をバックルで抜止する機構の固定具を採用することが好ましい。
【００１７】
このようなリールホルダは、通常、リール底部に釣竿に固定するために設けられる爪部を利用して、これを釣竿状支持体に設けた爪受に係止し、係止された爪部は爪受けに押し付けるようにして抜け止めするバックルで釣竿状支持体と一体に固定する。また必要に応じて、バックルを緩めると爪部を爪受けから抜き取れるから、簡単にリールをリールホルダから取り外すことができる。このようなリールホルダは、大きさの異なる複数のリールを適当な間隔を開けて釣竿状支持体に簡便に着脱する手段として適当なものである。
【００１８】
そして、このようなリールホルダを用いてリールをケースにコンパクトに収容して持ち運ぶために、前記のリールホルダに１以上のリールを取り付けた後、ケース内に収容し運搬するリールの運搬方法を採用したのである。
【００１９】
上記したように構成されるこの発明のリールの運搬方法では、釣竿から取り外したリールを釣竿状支持体に沿って直列状に並べて適当な間隔を開けて、好ましくは非接触状態で複数保持し、これを釣竿ケースなどのケースに入れてリールと釣竿を同時に、またはこれらを分けて運搬できる。
【００２０】
このようなケースとして釣竿ケースを用いる場合は、釣竿の数がリールの数より少なくてもリールを釣竿ケースに入れて簡単に持ち運ぶことができ、その際に釣竿ケース内に複数のリールが長手方向に並んだ状態に配置されるので、ケースの一部が膨らむことなく釣竿およびリールを効率よく収容することができ、しかもリールだけを持ち運ぶこともでき、さらには竿数より多くの交換用リールを簡便に持ち運ぶこともできる効率のよいリールの運搬方法になる。
【発明の効果】
【００２１】
この発明は、以上説明したように、釣竿状支持体の長手方向に沿って、釣糸のリールの固定具を所定間隔に複数配置して設け、複数のリールを取り付けて保持可能なリールホルダとしたので、釣竿ケースの一部の膨出する形状を可及的に抑えてコンパクトに収納することができ、複数のリールを効率よく収納および保管してケースを有効に使用でき、しかもリールだけでも簡便に持ち運ぶこともでき、また用途の異なるリールや竿数より多くの交換用リールなどを簡単に持ち運ぶことのできるリールホルダおよびリールの運搬方法であるという利点がある。
【発明を実施するための最良の形態】
【００２２】
この発明の実施形態を以下に添付図面に基づいて説明する。
図１〜３に示すように、実施形態のリールホルダ１は、釣竿状支持体２の長手方向に沿って、釣糸のリール１２の固定具３を所定間隔に複数配置して設けることにより、複数のリール１２を取り付けて非接触状態で保持可能なリールホルダ１であり、そして釣糸のリール１２の固定具３は、リールの底部に設けられた前後の爪部４、５のうち、爪部４を釣竿状支持体２に設けた爪受６に係止し、後方の爪部５をバックル７で抜止する機構の固定具３を採用したものである。
【００２３】
釣竿状支持体２は、通常５０〜１００ｃｍ程度の適当な長さと径のパイプ状、または棒（柱）状の部品であればよい。このような釣竿状支持体２には、長手方向に沿って、リール１２の固定具３を好ましくはリール１２同士が非接触であるように所定間隔を開けて取り付ける。
【００２４】
図１および図２に示すように実施形態の固定具３は、いわゆるリールシートと称されるものであり、釣竿状支持体２の外周面にボルト８や丈夫な巻線（繊維製糸、ワイヤ等）などで固定される金属製帯板状のシート本体９と、釣竿用リール１２と一体で逆Ｔ字形の竿取付用脚部１５の爪部（前端）４を係止できるように、シート本体９に固定されたフード形の爪受６と、竿取付用脚部１５の爪部（後端）５をシート本体９に固定できるように、爪受６に対向配置してシート本体９にスライド可能に取り付けられた金属製のバックル７とを備えた固定具である。
【００２５】
シート本体９の表面には、細かい波板形状などの滑り止めが形成されており、バックル７を構成する可動フード７ａとレバー７ｂとの間には金属製板状の爪が配置されており、レバー７ｂが固定方向（図示では前方）に倒されるように操作されると、レバー７ｂに押された爪がシート本体表面の滑り止めに係合し、可動フード７ａがシート本体９に対して前後方向へ移動不能になるよう固定される。
【００２６】
このような固定具３に対して取り付けられるリールの種類は、例えばスピニングリール、片軸受リール、両軸受リール、電動リール、その他の周知形態のリールであってよく、特に種類を限定されるものではない。
【００２７】
このような種々のリールには、一体に設けられた逆Ｔ字形の脚部があってもなくてもよいが、リールの底部には爪部その他の釣竿状支持体との係合部が設けてあるリールを採用することが望ましい。係合部を有しないリールに対しては、別途、対応する係合部（アタッチメントとも別称される。）をリールの固定具に設ければよい。
【００２８】
そして、前記した構造のリールホルダは、複数のリールを取り付けた際に、リール同士が非接触状態で保持されるように固定具を配置すればよく、３個以上の固定具を取り付ける場合には、リール同士の間隔が等間隔であっても不等の間隔であってもよい。
【００２９】
このようなリールホルダ１にリール１２を取り付けるには、通常の釣竿にリール１２を取り付ける場合と同様に、倒れた状態のレバー７ｂを釣竿状支持体２から引き離すようにして起こし、シート本体９の滑り止めと爪との係合を解いて可動フード７ａをシート本体９に対しスライド移動自在にする。
【００３０】
次に、リール底部の爪部（前端）４を、釣竿状支持体２に設けられた爪受６に係止し、爪部（後端）５にスライドさせた可動フード７ａで抜止し、その位置でレバー７ｂを倒してシート本体９の表面と爪を係合させ、可動フード７ａをシート本体９に固定すればよい。
【００３１】
上記したこの発明の実施形態では、リールの固定具の構造が、リール１２の底部に設けた爪部４を、釣竿状支持体２に設け爪受６に係止し、かつ爪部５をバックルで抜止する機構の固定具３を図示したが、バックル７に代えて、釣竿状支持体２の外周に螺子面を形成して、これにスライドおよび位置固定可能なスリーブ、または内周面が螺子面で形成されたナットなどの螺子面付きカバー部品を移動・固定可能にした固定具であっても良い。
【００３２】
そして、上記したいずれかの実施形態のリールホルダを用いた場合には、これに複数のリールを取り付けて釣竿ケース内などに収容し運搬することが容易にできる。
【００３３】
例えば、図３に示すようにリールホルダ１に複数のリール１２を取り付けた状態で釣竿ケース１０内に収容すると、リール１２を釣竿状支持体２の長手方向に沿ってスペースに無駄なく非接触状態に並べることができ、釣竿ケース１０の全体形状を比較的細く形成してもリールおよび釣竿を嵩張らせずに収納でき、それに伴って可搬性にも優れたリールホルダまたはリールおよび釣竿の運搬方法であるといえる。
【００３４】
また、図４に示すようように、リールホルダ１の一部または全体に着脱自在のカバー状ケース１０ａを取り付けて１以上のリール１２を釣竿とは別個に運搬することもできる。
【００３５】
図示したカバー状ケース１０ａは、方形状の布またはシートを二つ折り状態にして複数のリールを覆うようにしたものであり、カバー状ケース１０ａの内側面の縁に沿って面状ファスナ１０ｂを取り付けて二つ折りの状態で対応する面状ファスナ１０ｂで閉じ合わせられるようにし、また折り曲げ線に沿って釣竿状支持体２を止める４本の紐１０ｃを縫い付けたものである。
【００３６】
このようなカバー状ケース１０ａ（図４）または釣竿ケース１０（図３）を用いると、リールホルダ１のみ、またはリールホルダ１を釣竿ケース１０に入れてリール１２のみ、またはリール１２と釣竿１１の両方をそれぞれ必要な数だけ簡便に運搬することができ、リール１２だけを単独でまたは余分に持ち運び、または竿数より多くの交換用リールを釣竿ケース１０内に収容し、またはシート状のカバー状ケース１０ａに包んで持ち運ぶことのできるリールホルダおよびリールの運搬方法となる。
【図面の簡単な説明】
【００３７】
【図１】リールホルダに係る発明の実施形態を示す正面図
【図２】釣竿状支持体の断面図
【図３】リールホルダの使用状態を示す釣竿ケースの断面図
【図４】リールホルダの使用状態を示し、カバーを展開して示す正面図
【図５】従来例の釣竿収納アダプタとその使用状態を示す釣竿ケースの断面図
【符号の説明】
【００３８】
１  リールホルダ
２  釣竿状支持体
３  固定具
４、５  爪部
６  爪受
７  バックル
７ａ  可動フード
７ｂ  レバー
８  ボルト
９  シート本体
１０  釣竿ケース
１０ａ  カバー状ケース
１０ｂ  面状ファスナ
１０ｃ  紐
１１  釣竿
１１ａ  竿尻
１２  リール
１３  ハンドル
１４  スプール
１５  竿取付用脚部
１６  グリップ
１７  アダプタ
【図１】
2006187235.tif 000003
【図２】
2006187235.tif 000004
【図３】
2006187235.tif 000005
【図４】
2006187235.tif 000006
【図５】
2006187235.tif 000007